【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
第一成分として、式（Ｉ）
【化１】
2015180727.tif 000001
で表される化合物を５質量％〜２５質量％含有し、
第二成分として、誘電率異方性（Δε）が負でその絶対値が３よりも大きい化合物を１種又は２種以上含有し、その構造が一般式（Ｉａ）、一般式（Ｉｂ）及び一般式（Ｉｃ）
【化２】
2015180727.tif 000002
(式中、Ｒ１１、Ｒ１２、Ｒ１３、Ｒ１４、Ｒ１５及びＲ１６はお互い独立して炭素原子数１から１０のアルキル基又は炭素原子数２から１０のアルケニル基を表し、これらの基中に存在する１個のメチレン基又は隣接していない２個以上のメチレン基は−O−又は−S−に置換されていても良く、またこれらの基中に存在する１個又は２個以上の水素原子はフッ素原子又は塩素原子に置換されても良く、
ｕ、ｖ、ｗ、ｘ、ｙ及びｚはお互い独立して、０、１又は２を表すが、ｕ＋ｖ、ｗ＋ｘ及びｙ＋ｚは２以下であり、
Ｍ１１、Ｍ１２、Ｍ１３、Ｍ１４、Ｍ１５、Ｍ１６、Ｍ１７、Ｍ１８及びＭ１９はお互い独立して、
（ａ）トランス-1,4-シクロへキシレン基(この基中に存在する１個のメチレン基又は隣接していない２個以上のメチレン基は−O−又は−S−に置き換えられてもよい)、
（ｂ）1,4-フェニレン基(この基中に存在する１個の−CH＝又は隣接していない２個以上の−CH＝は窒素原子に置き換えられてもよい)及び、
（ｃ）1,4-シクロヘキセニレン基、1,4-ビシクロ(2.2.2)オクチレン基、ピペリジン-2,5-ジイル基、ナフタレン-2,6-ジイル基、1,2,3,4-テトラヒドロナフタレン-2,6-ジイル基及びデカヒドロナフタレン-2,6-ジイル基
からなる群より選ばれる基を表し、上記の基（ａ）、基（ｂ）又は基（ｃ）に含まれる水素原子はそれぞれシアノ基、フッ素原子、トリフルオロメチル基、トリフルオロメトキシ基又は塩素原子で置換されていても良いが、Ｍ１２、Ｍ１３、Ｍ１５、Ｍ１６、Ｍ１８及びＭ１９が複数存在する場合は、それらは同一でも良く異なっていても良く、
Ｌ１１、Ｌ１２、Ｌ１３、Ｌ１４、Ｌ１５、Ｌ１６、Ｌ１７、Ｌ１８及びＬ１９はお互い独立して単結合、−COO−、−OCO−、−CH2CH2−、−(CH2)4−、−OCH2−、−CH2O−、−OCF2−、−CF2O−又は−C≡C−を表すが、Ｌ１１、Ｌ１３、Ｌ１４、Ｌ１６、Ｌ１７及びＬ１９が複数存在する場合は、それらは同一でも良く異なっていても良く、存在するＬ１１、Ｌ１２及びＬ１３のうち少なくとも一つは単結合を表さず、存在するＬ１４、Ｌ１５及びＬ１６のうち少なくとも一つは単結合を表さず、存在するＬ１７、Ｌ１８及びＬ１９のうち少なくとも一つは単結合を表さず、
Ｘ１１、Ｘ１２はお互い独立してトリフルオロメチル基、トリフルオロメトキシ基又はフッ素原子を表し、Ｘ１３、Ｘ１４、Ｘ１５、Ｘ１６、Ｘ１７、及びＸ１８はお互い独立して水素原子、トリフルオロメチル基、トリフルオロメトキシ基又はフッ素原子を表すが、Ｘ１１及びＸ１２の何れか一つはフッ素原子を表し、Ｘ１３、Ｘ１４、及びＸ１５の何れか一つはフッ素原子を表し、Ｘ１６、Ｘ１７、及びＸ１８の何れか一つはフッ素原子を表すが、Ｘ１６及びＸ１７は同時にフッ素原子を表すことはなく、Ｘ１６及びＸ１８は同時にフッ素原子を表すことはなく、Ｇはメチレン基又は−Ｏ−を表す。）で表される化合物であって、一般式（Ｉａ）として、式（Ｉａ−２）、式（Ｉａ−５）
【化３】
2015180727.tif 000003
（式中、ＲａおよびＲｂは各々独立的に炭素原子数１〜７のアルキル基、アルコキシ基、炭素原子数２〜６のアルケニル基、アルケニルオキシ基を表し、該アルキル、アルケニル、アルコキシ、アルケニルオキシ基中のメチレン基は酸素原子が連続して結合しない限り１ヶ所以上酸素に置換されていてもよく、アルキル基、アルケニル基、アルコキシ基、アルケニルオキシ基中の水素原子は1ヶ所以上フッ素で置換されていても良い。）で表される化合物から選ばれる化合物を１種又は２種以上含有し、第二成分として、一般式（Ｉｄ）
【化４】
2015180727.tif 000004
（式中、Ｒ１７及びＲ１８はお互い独立して炭素原子数１から１０のアルキル基又は炭素原子数２から１０のアルケニル基を表し、これらの基中に存在する１個のメチレン基又は隣接していない２個以上のメチレン基は−O−又は−S−に置換されていても良く、またこれらの基中に存在する１個又は２個以上の水素原子はフッ素原子又は塩素原子に置換されても良く、
ｓ及びｔはお互い独立して、０から２を表すが、ｓ＋ｔは２以下であり、環Ａ及び環Ｂはお互い独立して、トランス-1,4-シクロへキシレン基、1,4-フェニレン基、1,4-シクロヘキセニレン基、1,4-ビシクロ(2.2.2)オクチレン基、ナフタレン-2,6-ジイル基、1,2,3,4-テトラヒドロナフタレン-2,6-ジイル基及びデカヒドロナフタレン-2,6-ジイル基を表す。）で表される化合物を１種又は２種以上含有し、一般式（Ｉｄ）として、一般式（Ｉｄ−２）
【化５】
2015180727.tif 000005
（式中、Ｒ１７及びＲ１８はお互い独立して炭素原子数１から１０のアルキル基又は炭素原子数２から１０のアルケニル基を表し、これらの基中に存在する１個のメチレン基又は隣接していない２個以上のメチレン基は−O−又は−S−に置換されていても良く、またこれらの基中に存在する１個又は２個以上の水素原子はフッ素原子又は塩素原子に置換されても良い。）で表される化合物を１種又は２種以上含有し、第三成分として、重合性官能基を１つ又は２つ以上有する重合性化合物を１種又は２種以上含有することを特徴とする液晶組成物。
【請求項２】
第二成分として、一般式（Ｉａ）及び一般式（Ｉｄ）で表される化合物群から選ばれる化合物を一種又は二種以上含有し、かつ、その含有量の合計が第二成分中の９０〜１００質量％である請求項１記載の液晶組成物。
【請求項３】
一般式（Ｉａ）が、式（Ｉａ−１）、式（Ｉａ−３）、式（Ｉａ−４）及び式（Ｉａ−６）
【化６】
2015180727.tif 000006
（式中、ＲａおよびＲｂは各々独立的に炭素原子数１〜７のアルキル基、アルコキシ基、炭素原子数２〜６のアルケニル基、アルケニルオキシ基を表し、該アルキル、アルケニル、アルコキシ、アルケニルオキシ基中のメチレン基は酸素原子が連続して結合しない限り１ヶ所以上酸素に置換されていてもよく、アルキル基、アルケニル基、アルコキシ基、アルケニルオキシ基中の水素原子は1ヶ所以上フッ素で置換されていても良い。）で表される化合物から選ばれる化合物を１種又は２種以上含有する請求項１又は２に記載の液晶組成物。
【請求項４】
重合性化合物が、一般式（ＩＩ）
【化７】
2015180727.tif 000007
（式中、Ｚ２１およびＺ２２は各々独立して
【化８】
2015180727.tif 000008
を表し、
Ｘ２１〜Ｘ２５は水素、フッ素または
【化９】
2015180727.tif 000009
であり、Ｚ２１およびＺ２２中のＸ２１〜Ｘ２５の内の少なくとも１つは、
【化１０】
2015180727.tif 000010
であり、Ｓ２１は、炭素原子数１〜１２のアルキル基、又は単結合を表し、該アルキル基中のメチレン基は酸素原子同士が直接結合しないものとして酸素原子、−ＣＯＯ−、−ＯＣＯ−、又は−ＯＣＯＯ−に置き換えられても良く、Ｒ２１は以下の式（Ｒ−１）から式（Ｒ−１５）
【化１１】
2015180727.tif 000011
の何れかを表し、Ｓ２１およびＲ２１が複数存在する場合はそれらは同一でも異なっていてもよく、Ｌ２１及びＬ２２はお互い独立して、単結合、−Ｏ−、−ＣＨ２−、−ＯＣＨ２−、−ＣＨ２Ｏ−、−ＣＯ−、−Ｃ２Ｈ４−、―ＣＯＯ−、−ＯＣＯ−、―ＣＨ＝ＣＨ−ＣＯＯ−、−ＣＯＯ―ＣＨ＝ＣＨ−、−ＯＣＯ−ＣＨ＝ＣＨ−、−ＣＨ＝ＣＨ−ＯＣＯ−、―ＣＯＯＣ２Ｈ４−、―ＯＣＯＣ２Ｈ４−、―Ｃ２Ｈ４ＯＣＯ−、―Ｃ２Ｈ４ＣＯＯ−、−ＯＣＯＣＨ２−、―ＣＨ２ＣＯＯ−、−ＣＨ＝ＣＨ−、−ＣＦ＝ＣＨ−、−ＣＨ＝ＣＦ−、−ＣＦ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−を表し、Ｌ２２が複数存在する場合はそれらは同一でも異なっていてもよく、Ｍ２１は、お互い独立して１，４−フェニレン基、１，４−シクロヘキシレン基、ナフタレン−２，６−ジイル基を表し、Ｍ２１は、お互い独立して無置換であるか又はこれらの基中に含まれる水素原子がフッ素原子、塩素原子、又は炭素原子数１〜８のアルキル基、ハロゲン化アルキル基、ハロゲン化アルコキシ基、アルコキシ基、ニトロ基、又は
【化１２】
2015180727.tif 000012
に置換されていても良く、Ｍ２１が複数存在する場合はそれらは同一でも異なっていてもよく、ｍ２１は０、１又は２を表す。）である請求項1〜３のいずれか１項に記載の液晶組成物。
【請求項５】
一般式（ＩＩ）中のＲ２１が（Ｒ−１）及び／又は（Ｒ−２）である請求項４記載の液晶組成物。
【請求項６】
第四成分として、一般式(ＩＶ)
【化１３】
2015180727.tif 000013
（式中、Ｒ４１及びＲ４２はお互い独立して炭素原子数１から１０のアルキル基又は炭素原子数２から１０のアルケニル基を表し、これらの基中に存在する１個のメチレン基又は隣接していない２個以上のメチレン基は−O−又は−S−に置換されても良く、またこれらの基中に存在する１個又は２個以上の水素原子はフッ素原子又は塩素原子に置換されても良く、
ｏは０、１又は２を表し、
Ｍ４１、Ｍ４２及びＭ４３はお互い独立して
（ｄ）トランス-1,4-シクロへキシレン基(この基中に存在する１個のメチレン基又は隣接していない２個以上のメチレン基は−O−又は−S−に置き換えられてもよい)、
（ｅ）1,4-フェニレン基(この基中に存在する１個の−CH＝又は隣接していない２個以上の−CH＝は窒素原子に置き換えられてもよい)、3-フルオロ-1,4-フェニレン基、3,5-ジフルオロ-1,4-フェニレン基、及び
（ｆ）1,4-シクロヘキセニレン基、1,4-ビシクロ(2.2.2)オクチレン基、ピペリジン-2,5-ジイル基、ナフタレン-2,6-ジイル基、デカヒドロナフタレン-2,6-ジイル基及び1,2,3,4-テトラヒドロナフタレン-2,6-ジイル基
からなる群より選ばれる基を表すが、Ｍ４３が複数存在する場合には同一であっても異なっていても良く、Ｌ４１及びＬ４２はお互い独立して単結合、−CH2CH2−、−(CH2)4−、−OCH2−、−CH2O−、−OCF2−、−CF2O−、−CH=CH−、−CH=N−N=CH−又は−C≡C−を表すが、Ｌ４２が複数存在する場合は、それらは同一でも良く異なっていても良い。）で表される一種又は二種以上の化合物（ただし、式（Ｉ）で表される化合物は含まない。）を５〜７０質量％含有する請求項１〜５のいずれか一項に記載の液晶組成物。
【請求項７】
第四成分として、一般式（ＩＶ）が一般式（ＩＶ−１）〜一般式（ＩＶ−６）
【化１４】
2015180727.tif 000014
（式中、ＲｃおよびＲｄは各々独立的に炭素原子数１〜７のアルキル基、アルコキシ基、炭素数２〜６のアルケニル基、アルケニルオキシを表し、アルキル基、アルケニル基、アルコキシ基、アルケニルオキシ基中のメチレン基は酸素原子が連続して結合しない限り1ヶ所以上酸素に置換されていてもよく、基中の水素原子は1ヶ所以上フッ素で置換されていてもよい。ただし、式（ＩＶ−１）には式（Ｉ）で表される化合物は含まない。）で表される化合物であり、かつ、その含有量が第四成分中の９０〜１００質量％である請求項６記載の液晶組成物。
【請求項８】
請求項１〜７のいずれか一項に記載の重合性化合物を含有する液晶組成物を使用し、液晶組成物中の重合性化合物を重合することにより液晶配向能を付与することを特徴とする液晶表示素子。
【請求項９】
請求項８に記載の液晶表示素子を用いた液晶ディスプレイ。